(57)【特許請求の範囲】
【請求項１】
第１及び第２接続体（１１１，１２１）をそれぞれ収容した第１及び第２ハウジング（１１２，１２２）のそれぞれの一側端に、内径が内側方向に行くほど小さくなる第１及び第２電線引込端（１１３，１２３）がそれぞれ備えられた第１及び第２接続具（１１０，１２０）；
前記第１及び第２電線引込端（１１３，１２３）の内径部に当接しながら挿入されて気密を維持させる第１及び第２パッキング（１３０，１４０）；
第１及び第２電線（１，２）のそれぞれを前記第１及び第２ハウジング（１１２，１２２）の内側に誘導するように前記第１及び第２電線引込端（１１３，１２３）の外径部に結合される遮断体であって、
先端部の内側面の第１及び第２パッキング（１３０，１４０）の一側と対応する部位に環状突起形態の第１及び第２加圧部材（１５１，１６１）が備えられ、第１及び第２パッキング（１３０，１４０）の一側面を加圧して、前記第１及び第２電線引込端（１１３，１２３）の内径部と第１及び第２電線（１，２）とが接する面へ圧着させるようにする第１及び第２仕上げキャップ（１５０，１６０）；
一側端が前記第１電線引込端（１１３）の外径部に嵌め合わせられた状態で、他側端が第１ハウジング（１１２）と接続される第２ハウジング（１２２）の一側端の外径部と結合される結合キャップ（１７０）；及び
前記結合キャップ（１７０）によって第１ハウジング（１１２）と第２ハウジング（１２２）が結合される部位において、結合キャップ（１７０）と第２ハウジング（１２２）の先端周縁部が接する部分に備えられて気密を維持させる第１弾性パッキング（１８１）と、前記第１ハウジング（１１２）の外周面に第２ハウジング（１２２）の内周面が接する部分に備えられて気密を維持させる第２弾性パッキング（１８２）とを含む連結パッキング部（１８０）；を含んでなり、
前記第１及び第２電線引込端（１１３，１２３）のそれぞれの内径部は先端部の直径が長くて内側方向に行くほど直径が短くなる中央貫通型のものであり、前記第１及び第２電線引込端（１１３，１２３）の内側面には環状の加圧突起（１５１，１６１）が形成され、前記第１及び第２電線引込端（１１３，１２３）の外周面には第１及び第２仕上げキャップ（１５０，１６０）のそれぞれと結合のためのネジタップが形成され、
前記第１及び第２仕上げキャップ（１５０，１６０）は、それぞれ中央が貫通され、内周面にネジタップが形成され、前記第１及び第２電線引込端（１１３，１２３）のそれぞれとの締結によって結合される蓋であり、先端部の外部には、中央貫通孔を中心に両側に電線遊動防止手段（１９０）が結合される面を提供するリブ（１５２、１６２）が形成され、
前記電線遊動防止手段（１９０）の電線と接する湾曲面には游動防止のための楔形ストッパー（１９１）が備えられることを特徴とする、防水可能な電気接続具。
【発明の詳細な説明】
【技術分野】
【０００１】
本発明は防水可能な電気接続具に関するもので、より詳しくは一対の電気接続具が連結される過程で外圧によって分離されないように結合させるとともに連結部位の気密を維持させるとともに、電気接続具のハウジングの一側端に貫通して引き込まれ、前記ハウジングの内部に備えられた接続体と連結される電線と前記ハウジングの一側端間の隙間に対する気密を維持させる防水可能な電気接続具に関するものである。
【背景技術】
【０００２】
一般に、各種の電気／電子器機又は装置は、電気接続具（例えば、コンセントとプラグ）を介して電力供給源と連結され、動作に必要な電力を受ける。しかし、前記電気接続具のうち、コンセントは外部からプラグを挿入することができるように一側が開放しているので、プラグを差し込んだ状態で外部から各種の異物が易しく侵透することができる。
【０００３】
特に、ふろ場などのように水気や湿気が多い場所で使用するコンセントやプラグ又は自動販売機、水族館、ゲーム機、冷蔵庫などのように室外で電気を使う装置のためのコンセントやプラグ又は工事現場や野外に臨時に設置した屋外用コンセントやプラグは外部から雨水又は湿気が内部に侵透して漏電及び感電などの安全事故発生のおそれが高いという問題点があった。
【０００４】
また、従来のプラグとコンセントは殆どが単に差し込む締結方式を用いるので、コンセントとプラグを結合する場合、コンセントの内側に位置する接続端子とプラグの端子ピンが緊密に接続しない場合がよく発生している。この時、小さな外力によってもプラグがコンセントから離脱し易く、その結果として電流が遮断されて、電気／電子機器又は装置が作動中に停止することになる問題が頻繁に発生している。
【０００５】
このような従来の電気接続具の問題点を解決するために、近年には添付図面の図１及び図２に示したような防水用コンセントとプラグが多数紹介された。しかし、前記従来の防水用コンセントとプラグは単純にプラグの外部を防水キャップが取り囲んだ状態でコンセントに接続される構造なので、プラグ本体の一側端と電線間の隙間に雨水（水含み）又は湿気が侵透することを防止することはできないだけでなく、コンセントそのものの防水とともにプラグとコンセントが接続される部位の防水も不可能な構造的欠陷があるものである。
【０００６】
前記のような防水可能な電気接続具に係わる先行技術文献を参考として調べると次のようである（特許文献１，２）。
【先行技術文献】
【特許文献】
【０００７】
【特許文献１】韓国公開特許第１０−２００８−００４６４６５号公報
【特許文献２】韓国登録特許第１０−１２１９０１９号公報
【発明の概要】
【発明が解決しようとする課題】
【０００８】
前記のような問題点を解決するためになされた本発明は、一対の電気接続具が連結される過程で外圧によって分離されないように結合させるとともに連結部位の気密を維持させるとともに、電気接続具のハウジングの一側端に貫通して引き込まれ、前記ハウジングの内部に備えられた接続体と連結される電線と前記ハウジングの一側端間の隙間に対する気密を維持させる防水可能な電気接続具を提供することに目的がある。
【課題を解決するための手段】
【０００９】
前記のような目的達成のための本発明は、第１及び第２接続体をそれぞれ収容した第１及び第２ハウジングのそれぞれの一側端に、内径が内側方向に行くほど小さくなる第１及び第２電線引込端がそれぞれ備えられた第１及び第２接続具；前記第１及び第２電線引込端の内径部に面接しながら挿入されて気密を維持させる第１及び第２パッキング；第１及び第２電線のそれぞれを前記第１及び第２ハウジングの内側に誘導するように前記第１及び第２電線引込端の外径部に結合される遮断体であって、先端部の内側面の第１及び第２パッキングの一側と対応する部位に環状突起形態の第１及び第２加圧部材が備えられ、前記第１及び第２電線引込端との結合過程で第１及び第２パッキングの一側面を加圧して、前記第１及び第２電線引込端の内径部と第１及び第２電線と接する面方向への膨脹によって圧着させるようにする第１及び第２仕上げキャップ；一側端が前記第１電線引込端の外径部に嵌め合わせられた状態で他側端が第１ハウジングと接続される第２ハウジングの一側端の外径部と結合される結合キャップ；及び前記結合キャップによって第１ハウジングと第２ハウジングが結合される部位において結合キャップと第２ハウジングの先端周縁部が接する部分に備えられて気密を維持させる第１弾性パッキングと、前記第１ハウジングの外周面に第２ハウジングの内周面が接する部分に備えられて気密を維持させる第２弾性パッキングとを含む連結パッキング部；を含む。
【発明の効果】
【００１０】
前記のような課題解決手段による本発明は、前記第１及び第２ハウジングのそれぞれの一側端に備えられた第１及び第２電線引込端の内側方向に行くほど小さくなる内径部に第１及び第２パッキングが挿入された状態で前記第１及び第２電線引込端の外径部に第１及び第２仕上げキャップが結合されるにつれて、前記第１及び第２仕上げキャップに備えられた第１及び第２加圧部材が前記第１及び第２パッキングのそれぞれを前記第１及び第２電線引込端の内径部と第１及び第２電線と接する面に圧着させることで、第１及び第２ハウジングの第１及び第２電線引込端と第１及び第２パッキング間の隙間に水が侵透することを防止するとともに、前記第１及び第２パッキングと第１及び第２電線間の隙間に水が侵透することを防止する二元的気密維持効果を得る。
【００１１】
また、本発明は、前記結合キャップの一側端が前記第１電線引込端の外径部に嵌め合わせられた状態で、他側端が第１ハウジングと接続される第２ハウジングの一側端の外径部と結合されるようにするとともに、前記第２ハウジングの先端周縁部と外周面にそれぞれ対応して接する前記結合キャップと第１ハウジングの該当部分に連結パッキング部、つまり第１及び第２弾性パッキングを備えて、前記第１接続具と第２接続具の接続を維持させることにより、前記第１接続具と第２接続具の接続状態が外圧によって解除されることを防止するとともに、前記第１接続具と第２接続具の連結部位間の隙間に水が侵透することを二元的に防止して気密を維持する効果を得る。
【００１２】
また、本発明は、前記第１及び第２仕上げキャップの先端部外側の貫通孔を中心に両側に備えられたリブには、一対が対称状になり、前記リブの間に露出された第１及び第２電線を加圧して第１及び第２仕上げキャップのリブにそれぞれ固定させる電線遊動防止手段が備えられることにより、前記第１及び第２仕上げキャップと第１及び第２ハウジングの第１及び第２電線引込端のそれぞれを順に貫いて前記第１及び第２接続体に連結された第１及び第２電線の連結が外圧によって易しく解除されることを防止する効果を得ることができる。この時、前記電線遊動防止手段が弾性を有するとともに前記第１及び第２仕上げキャップの先端部に結合されるものである場合、前記第１及び第２仕上げキャップと第１及び第２電線間の隙間に水が侵透することを防止する効果を得る。
【図面の簡単な説明】
【００１３】
【図１】従来の防水用プラグの構成及び構造を示す構成図である。
【図２】従来の防水用プラグとコンセント構造体の構成及び構造を示す構成図である。
【図３】本発明の実施例による構成を示す斜視図である。
【図４】本発明の実施例による構成を示す分解斜視図である。
【図５】本発明の実施例による構成をより具体的に示す分解斜視図である。
【図６】本発明の実施例による結合構成をより具体的に示す断面図である。
【図７】本発明の実施例による他の結合構成をより具体的に示す断面図である。
【図８】本発明の作用を示す部分断面図である。
【図９】本発明による電線遊動防止手段の他の構成を示す断面図である。
【発明を実施するための形態】
【００１４】
このように提示する添付図面に基づいて本発明を説明すれば次のようである。
【００１５】
図３〜図５は本発明の一実施例による防水可能な電気接続具の構成を示すもので、図３は本発明の実施例による構成を示す斜視図、図４は本発明の実施例による構成を示す分解斜視図、図５は本発明の実施例による構成をより具体的に示す分解斜視図である。
【００１６】
本発明による防水可能な電気接続具１００は、図３〜図５に示したように、第１及び第２接続具１１０，１２０、第１及び第２パッキング１３０，１４０、第１及び第２仕上げキャップ１５０，１６０、結合キャップ１７０及び連結パッキング部１８０を含んでなる。
【００１７】
第１及び第２接続具１１０，１２０は、第１及び第２接続体１１１，１２１をそれぞれ収容した第１及び第２ハウジング１１２，１２２のそれぞれの一側端に、内径が内側方向に行くほどに小さくなる第１及び第２電線引込端１１３，１２３がそれぞれ備えられる。第１及び第２パッキング１３０，１４０は前記第１及び第２電線引込端１１３，１２３の内径部に挿入されて気密を維持させる。第１及び第２仕上げキャップ１５０，１６０は、第１及び第２電線１，２のそれぞれを前記第１及び第２ハウジング１１２，１２２の内側に誘導するように前記第１及び第２電線引込端１１３，１２３の外径部に結合される遮断体であって、先端部内側面の第１及び第２パッキング１３０，１４０の一側に対応する部位に前記第１及び第２パッキング１３０，１４０のそれぞれを前記第１及び第２電線引込端１１３，１２３の内径部と第１及び第２電線１，２と接する面に圧着させる第１及び第２加圧部材１５１，１６１が備えられる。結合キャップ１７０は、一側端が前記第１電線引込端１１３の外径部に嵌め合わせられた状態で他側端が第１ハウジング１１２と接続される第２ハウジング１２２の一側端の外径部と結合させる。連結パッキング部１８０は、前記結合キャップ１７０によって第１ハウジング１１２と第２ハウジング１２２が結合される部位のうち、結合キャップ１７０と第２ハウジング１２２の先端周縁部が接する部分に備えられて気密を維持させる第１弾性パッキング１８１と、前記第１ハウジング１１２の外周面に第２ハウジング１２２の内周面が接する部分に備えられて気密を維持させる第２弾性パッキング１８２とを含む。
【００１８】
ここで、本発明において、前記第１接続体１１１は電気プラグであってもよく、電気コネクターであってもよいし、前記第２接続体１２１は電気コンセントであってもよく、電気コネクターであってもよい。
【００１９】
ここで、前記第１接続体１１１の電気プラグ又は電気コネクターは第１電線１と接続具（端子）が前もって組み立てられた完成品（射出成形によって一体的に形成されたもの）又は接続具（端子）に第１電線１がネジ結合で組み立てられる半組立品であってもよい。
【００２０】
また、前記第２接続体１２１の電気コンセント又は電気コネクターは第２電線２と接続具（端子）が前もって組み立てられた完成品（射出成形によって一体的に形成されたもの）又は接続具（端子）に第２電線２がネジ結合で組み立てられる半組立品であってもよい。
【００２１】
一方、本発明において前記第１ハウジング１１２は第１接続体１１１を収容する合成樹脂材又はゴム材のケースであってもよく、前記第２ハウジング１２２は第２接続体１２１を収容する合成樹脂材又はゴム材のケースであってもよい。
【００２２】
ここで、前記第１ハウジング１１２の一側端の外周面に環状突条が形成され、前記環状突条部分に連結パッキング部１８０の第２弾性パッキング１８２が嵌め合わせられるとか、前記第１ハウジング１１２の一側端の外周面に環状溝が形成され、前記環状溝に連結パッキング部１８０の第２弾性パッキング１８２が嵌め合わせられることもできる。
【００２３】
また、前記第２ハウジング１２２において結合キャップ１７０が結合される外周面には、添付図面の図６に示したように、‘Ｌ’字形の結合溝１２２ａが形成され、前記結合キャップ１７０の内周面に備えられた結合突起１７１が結合された状態で回転によって結合されることもでき、添付図面の図７に示したように、前記第２ハウジング１２２において結合キャップ１７０が結合される外周面にネジタップが形成され、前記結合キャップ１７０の内周面に備えられたネジタップと回転によって結合されることもできる。
【００２４】
また、本発明において前記第１電線引込端１１３の内径部は先端部の直径が大きくて内側方向に行くほどに直径が小さくなる中央貫通形のもので、内側貫通面には環状の加圧突起が形成され、外周面には第１仕上げキャップ１５０との結合のためのネジタップが形成されたものであってもよい。
【００２５】
また、本発明において前記第２電線引込端１２３の内径部は先端部の直径が大きくて内側方向に行くほど直径が小さくなる中央貫通形のもので、内側貫通面には環状の加圧突起が形成され、外周面には第２仕上げキャップ１６０との結合のためのネジタップが形成されたものであってもよい。
【００２６】
また、本発明において前記第１仕上げキャップ１５０は中央が貫通され、内周面にネジタップが形成され、前記第１電線引込端１１３との締結によって結合される蓋で、前記第１仕上げキャップ１５０の先端部の外部には、中央貫通孔を中心に両側に電線遊動防止手段１９０が結合される面を提供するリブ１５２が形成されたものであってもよい。
【００２７】
また、前記第１仕上げキャップ１５０の第１パッキング１３０と接する面部分に備えられる第１加圧部材１５１は環状の突起であってもよい。
【００２８】
また、本発明において前記第２仕上げキャップ１６０は中央が貫通され、内周面にネジタップが形成され、前記第２電線引込端１２３との締結によって結合される蓋で、前記第２仕上げキャップ１６０の先端部の外部には、中央貫通孔を中心に両側に電線遊動防止手段１９０が結合される面を提供するリブ１６２が形成されたものであってもよい。
【００２９】
また、前記第２仕上げキャップ１６０の第２パッキング１４０と接する面部分に備えられる第２加圧部材１６１は環状の突起であってもよい。
【００３０】
ここで、前記第１仕上げキャップ１５０のリブ１５２と第２仕上げキャップ１６０のリブ１６２には、両側に分離された対称状の電線圧着部材からなった一対の電線遊動防止手段１９０が備えられることができる。すなわち、前記第１及び第２仕上げキャップ１５０，１６０の先端部外側の貫通孔を中心に両側に備えられたリブ１５２，１６２には、一対が対称状になり、前記リブ１５２，１６２の間に露出された第１及び第２電線１，２を加圧して第１及び第２仕上げキャップ１５０，１６０のリブ１５２，１６２にそれぞれ固定させる電線遊動防止手段１９０が備えられることができる。
【００３１】
ここで、前記電線遊動防止手段１９０の電線と接する湾曲面には遊動防止のための楔形ストッパー１９１が備えられることができる。
【００３２】
また、本発明において前記結合キャップ１７０は、中央が貫通され、内周面に前記第２ハウジング１２２の結合溝１２２ａ又はネジタップに対応して結合される結合突起１７１又はネジタップが形成された蓋であり、貫通された中央部分は前記第１電線引込端１１３に嵌め合わせられ、前記第１電線引込端１１３に締結される第１仕上げキャップ１５０によって離脱が防止されるものであってもよい。
【００３３】
また、本発明において前記連結パッキング部１８０は、第２ハウジングの先端周縁部と結合キャップ１７０が接する部分において結合キャップ１７０の内面に環状に備えられる第１弾性パッキング１８１；及び前記第１ハウジング１１２と第２ハウジング１２２が接する部分において第１ハウジング１１２の外周面に備えられる第２弾性パッキング１８２；を含むことができる。
【００３４】
このように構成される本発明の一実施例の作用を説明すれば次のようである。
まず、本発明はプラグである第１接続体１１１が第１ハウジング１１２の一側内にプラグ端子が外部に突出するように挿入され、第１電線１（接地線を含む３本の電線）が第１仕上げキャップ１５０、第１パッキング１３０、結合キャップ１７０、第１ハウジング１１２の各中央を貫通（貫通孔）し、前記第１ハウジング１１２に挿入された第１接続体１１１に連結される。
【００３５】
このようにした後、前記第１ハウジング１１２の第１電線引込端１１３の内径部に第１パッキング１３０を挿入し、第１電線引込端１１３の外径部に第１仕上げキャップ１５０を結合させれば、第１仕上げキャップ１５０の第１加圧部材１５１が第１パッキング１３０を第１電線引込端１１３の内径部と内側端部に加圧しながら密着させるようになる。この時、前記結合キャップ１７０の先端部が第１ハウジング１１２と第１仕上げキャップ１５０の間に離脱防止状態で位置するようになる。
【００３６】
ついで、コンセントである第２接続体１２１が第２ハウジング１２２の一側内に挿入され、第２電線２（接地線を含む３本の電線）が第１仕上げキャップ１６０、第２パッキング１４０、第２ハウジング１１２の各中央を貫通（貫通孔）し、前記第２ハウジング１２２に挿入された第２接続体１２１に連結される。
【００３７】
このようにした後、前記第２ハウジング１２２の第２電線引込端１２３の内径部に第２パッキング１４０を挿入し、第２電線引込端１２３の外径部に第２仕上げキャップ１６０を結合させれば、第２仕上げキャップ１６０の第２加圧部材１６１が第２パッキング１４０を第２電線引込端１２３の内径部と内側端部に加圧しながら密着させるようになる。
【００３８】
その後、前記第１接続体１１１を収容した第１ハウジング１１２の先端部を第２ハウジング１２２の内径部に挿入することで、前記第１接続体１１１と第２接続体１２１が電気的に接続されるようにする。
【００３９】
前記のように第１接続体１１１と第２接続体１２１が接続されれば、前記第１接続具１１０の第１ハウジング１１２に一側端がかかっている前記結合キャップ１７０の他側端を第２接続具１２０の第２ハウジング１２２の外周面に対応して位置させた後、前記結合キャップ１７０を回して第１ハウジング１１１と第２ハウジング１２２の結束を堅く維持させる。
【００４０】
このように構成される本発明は、添付図面の図８に示したように、前記第１及び第２ハウジング１１２，１２２のそれぞれの一側端に備えられた第１及び第２電線引込端１１３，１２３の内側方向に行くほど小さくなる内径部に第１及び第２パッキング１３０，１４０が挿入された状態で前記第１及び第２電線引込端１１３，１２３の外径部に第１及び第２仕上げキャップ１５０，１６０が結合されるにつれて、前記第１及び第２仕上げキャップ１５０，１６０に備えられた第１及び第２加圧部材１５１，１６１が前記第１及び第２パッキング１３０，１４０のそれぞれを前記第１及び第２電線引込端１１３，１２３の内径部と第１及び第２電線１，２と接する面に圧着させるようになるので、第１及び第２ハウジング１１２，１２２の第１及び第２電線引込端１１３，１２３と第１及び第２パッキング１３０，１４０間の隙間に水が侵透することを防止するとともに、前記第１及び第２パッキング１３０，１４０と第１及び第２電線１，２間の隙間に水が侵透すことを２次に防止する。
【００４１】
また、本発明は、前記結合キャップ１７０の一側端が前記第１電線引込端１１３の外径部に嵌め合わせられた状態で、他側端が第１ハウジング１１２と接続される第２ハウジング１２２の一側端の外径部と結合されるようにするとともに、前記第２ハウジング１２２の先端周縁部と外周面にそれぞれ対応して接する前記結合キャップ１７０と第１ハウジング１１２の該当部分に連結パッキング部１８０（第１及び第２弾性パッキング１８１，１８２）を備えることで、前記第１接続具１１０と第２接続具１２０の接続を維持させて、前記第１接続具１１０と第２接続具１２０の接続状態が外圧によって解除されることを防止するとともに、前記第１接続具１１０と第２接続具１２０の連結部位の隙間に水が侵透することを２次に防止しながら気密を維持させる。
【００４２】
また、本発明は、前記第１及び第２仕上げキャップ１５０，１６０の先端部外側の貫通孔を中心に両側に備えられたリブ１５２，１６２には、一対が対称状になり、前記リブ１５２，１６２を挟んで一対の電線遊動防止手段１９０がネジ結合されれば、前記電線遊動防止手段１９０の対向面又は前記対向面に備えられたストッパー１９１が電線を加圧し、よって、前記第１及び第２接続体に連結された第１及び第２電線１，２の連結が外圧によって易しく解除されることを防止する。
【００４３】
ここで、前記電線遊動防止手段１９０が弾性を有するとともに前記第１及び第２仕上げキャップ１５０，１６０の先端部に結合されるものである場合、前記第１及び第２仕上げキャップ１５０，１６０と第１及び第２電線１，２間の隙間に水が侵透することを防止する。
【００４４】
前記のような本発明は、添付図面の図９のａ）及びｂ）に示したような前記電線遊動防止手段１９０が一対からなるとともに、対応する溝と結合突起が備えられ、これらの締結によって前記電線遊動防止手段１９０の対向面又は前記対向面に備えられたストッパー１９１が電線を加圧するようになり、よって、前記第１及び第２接続体に連結された第１及び第２電線１、２の連結が外圧によって易しく解除されることを防止することもできる。
【００４５】
以上、本発明を本発明の原理を例示するための好適な実施例に基づいて説明するとともに図示したが、本発明はこのように図示するとともに説明したような構成及び作用に限定されるものではない。
【００４６】
その他にも、添付の請求範囲の思想及び範疇を逸脱することなしに、本発明の多様な変更及び修正が可能であるのが当業者であれば明らかに理解可能であろう。
【００４７】
したがって、そのような全ての適切な変更及び修正と均等物も本発明の範囲に属するものとして見なされなければならないであろう。
【符号の説明】
【００４８】
１００    電気接続具
１１０    第１電気接続具
１１１    第１接続体
１１２    第１ハウジング
１１３    第１電線引込端
１２０    第２電気接続具
１２１    第２接続体
１２２    第２ハウジング
１２３    第２電線引込端
１３０、１４０    第１及び第２パッキング
１５０、１６０    第１及び第２仕上げキャップ
１５１、１６１    第１及び第２加圧部材
１７０    結合キャップ
１８０    連結パッキング
１８１、１８２    第１弾性パッキング
１、２、１９０    電線遊動防止手段
【図１】
0006745342.tif 000002
【図２】
0006745342.tif 000003
【図３】
0006745342.tif 000004
【図４】
0006745342.tif 000005
【図５】
0006745342.tif 000006
【図６】
0006745342.tif 000007
【図７】
0006745342.tif 000008
【図８】
0006745342.tif 000009
【図９ａ）】
0006745342.tif 000010
【図９ｂ）】
0006745342.tif 000011